(57)【要約】【課題】一般ユーザであっても、画像データの自動配信をキャンセルすることができる画像配信装置を提供する。【解決手段】画像配信装置２は、複数の通信装置と通信可能に接続し、画像データを含む配信ジョブに埋め込まれた条件判定対象情報が、所定の配信条件を満たしたときに、前記配信ジョブに埋め込まれたユーザ情報を抽出し、そのユーザ情報に対して予め設定された前記通信装置宛の配信先アドレスを用いて、前記配信ジョブを配信する画像配信装置２であって、キャンセル指示の情報とともに入力ユーザ情報が入力される入力部２２と、前記入力ユーザ情報と対応するユーザ情報が埋め込まれた前記配信ジョブの配信をキャンセルするキャンセル部２１６とを備える。【選択図】図２
2012231310.tif 000002
【特許請求の範囲】
【請求項１】
複数の通信装置と通信可能に接続し、画像データを含む配信ジョブに埋め込まれた条件判定対象情報が、所定の配信条件を満たしたときに、前記配信ジョブに埋め込まれたユーザ情報を抽出し、そのユーザ情報に対して予め設定された前記通信装置宛の配信先アドレスを用いて、前記配信ジョブを配信する画像配信装置であって、
キャンセル指示の情報とともに入力ユーザ情報が入力される入力部と、
前記入力ユーザ情報と対応するユーザ情報が埋め込まれた前記配信ジョブの配信をキャンセルするキャンセル部と
を備えることを特徴とする画像配信装置。
【請求項２】
前記所定の配信条件をまだ満たしていない前記配信ジョブを記憶する配信待ちジョブ記憶部を備え、
前記キャンセル部は、前記配信待ちジョブ記憶部に記憶された前記配信ジョブを削除することを特徴とする請求項１に記載された画像配信装置。
【請求項３】
前記ユーザそれぞれのユーザ情報が、それぞれに割り当てられたアカウント識別情報と関連付けられて記憶するアカウント記憶部と、
前記ユーザそれぞれの配信先アドレスが、それぞれに割り当てられたアドレス識別情報と関連付けられて記憶するアドレス記憶部と、
同一ユーザの情報となるように組み合わされた、前記アカウント識別情報および前記アドレス識別情報の組が、それぞれに割り当てられた配信先識別情報と関連付けられて記憶されたユーザ管理ＤＢと、
前記配信先識別情報が複数関連付けられて形成されたグループが、それぞれに割り当てられた配信先グループ識別情報と関連付けられた記憶された配信先ＤＢと、
をさらに備え、
前記配信ジョブに埋め込まれたユーザ情報は、前記配信先識別情報であって、
前記キャンセル部は、
前記配信先ＤＢから、前記入力ユーザ情報と関連する前記配信先識別情報を、当該前記配信先識別情報が関連付けられた前記配信先グループ識別情報に属するグループから削除することを特徴とする請求項１に記載された画像配信装置。
【請求項４】
前記所定の配信条件を満たしたときに、前記配信ジョブに埋め込まれた前記配信先識別情報を抽出し、前記アカウント記憶部、前記アドレス記憶部、前記ユーザ管理ＤＢおよび前記配信先ＤＢを用いて、前記通信装置宛の配信先アドレスを抽出する配信要求部を備えることを特徴とする請求項３に記載された画像配信装置。
【請求項５】
前記入力ユーザ情報は、ユーザをそれぞれ識別するユーザＩＤと、パスワードとからなる情報であり、
前記ユーザ情報は、ユーザをそれぞれ識別するユーザＩＤと、パスワードとからなる情報であり、
前記入力部に前記入力ユーザ情報が入力された後で、前記入力ユーザ情報と、前記アカウント記憶部に記憶された前記ユーザ情報との認証判定を行い、一致しなければ処理を終了させるユーザ認証部をさらに備えることを特徴とする請求項３または請求項４に記載された画像配信装置。
【請求項６】
前記所定の配信条件は、配信可能な時間帯である請求項１ないし請求項５のいずれか一項に記載された画像配信装置。
【発明の詳細な説明】
【技術分野】
【０００１】
本発明は、画像配信装置に関し、例えば、画像を取り込むスキャナなどの画像形成装置を備え、ＰＣ（Personal Computer）などの通信装置と通信可能に接続される複合機に備えられて、予め配信先として設定された配信先通信装置に画像データを自動配信する画像配信装置に関する。
【背景技術】
【０００２】
従来から、画像配信装置を利用する利用者（ユーザ）は、その画像配信装置を管理する権限を持つ“管理ユーザ”と、管理ユーザから画像配信装置を利用する権限が与えられた“一般ユーザ”との２つのタイプに分けられる。ユーザが画像配信装置を利用する際に、画像配信装置は、ユーザに対してユーザ認証を行い、管理ユーザ／一般ユーザのどちらであるのかを判断する。
また、従来の画像配信装置は、予め配信先として配信先通信装置宛のメールアドレスを設定しておくことで、所定の条件（時間など）を満たしたときに、一般ユーザがスキャナで取り込んでおいた画像データを、電子メールで配信先通信装置に自動配信することができる。
【先行技術文献】
【特許文献】
【０００３】
【特許文献１】特開２００５−３４３１４３号公報
【発明の概要】
【発明が解決しようとする課題】
【０００４】
しかしながら、従来の画像配信装置には、画像データの自動配信を中止する権限が管理ユーザにしか与えられていなかった。そのため、一般ユーザは、極秘書類などの画像データを配信したくない場合、管理ユーザにいちいち配信中止依頼をして、配信される前に画像データの自動配信をキャンセル（中止）してもらう必要があった。また、一般ユーザからの配信中止依頼に対応しなければならないという問題点がある。
【０００５】
本発明は、以上のような問題を解決するためになされたものであり、一般ユーザであっても、画像データの自動配信をキャンセルすることができる画像配信装置を提供することを課題とする。
【課題を解決するための手段】
【０００６】
前記課題を解決するために、本発明の画像配信装置は、複数の通信装置と通信可能に接続し、画像データを含む配信ジョブに埋め込まれた条件判定対象情報が、所定の配信条件を満たしたときに、前記配信ジョブに埋め込まれたユーザ情報を抽出し、そのユーザ情報に対して予め設定された前記通信装置宛の配信先アドレスを用いて、前記配信ジョブを配信する画像配信装置において、キャンセル指示の情報とともに入力ユーザ情報が入力される入力部と、前記入力ユーザ情報と対応するユーザ情報が埋め込まれた前記配信ジョブの配信をキャンセルするキャンセル部とを備える構成とした。
【発明の効果】
【０００７】
本発明によれば、一般ユーザであっても、画像データなどの自動配信をキャンセルすることができる。そのため、一般ユーザはいちいち管理ユーザに削除依頼をする必要がないため、一般ユーザおよび管理ユーザの作業効率が向上する。
【０００８】
また、自動配信をキャンセルすることができるため、情報漏えいなどの事故を未然に回避することができる。
【図面の簡単な説明】
【０００９】
【図１】本発明に係る複合機を含む配信システムを示す図である。
【図２】第１の実施形態に係る複合機の構成を示すブロック図である。
【図３】配信条件記憶部に記憶される情報の一例を示す図である。
【図４】アカウント記憶部に記憶される情報の一例を示す図である。
【図５】アドレス記憶部に記憶される情報の一例を示す図である。
【図６】ユーザ管理ＤＢに管理される情報の一例を示す図である。
【図７】配信先ＤＢに管理される情報の一例を示す図である。
【図８】ジョブ認識部にて生成される『投入ジョブ』の一例を示す図である。
【図９】ジョブ認識部にて生成される『キャンセルジョブ』の一例を示す図である。
【図１０】第１の実施形態に係る画像配信機能部の画像配信処理動作のフローチャートである。
【図１１】図１０に続く第１の実施形態に係る画像配信機能部の画像配信処理動作のフローチャートである。
【図１２】図１１に続く第１の実施形態に係る画像配信機能部の画像配信処理動作のフローチャートである。
【図１３】第１の実施形態に係る画像配信機能部のユーザ認証処理動作のフローチャートである。
【図１４】第１の実施形態に係る画像配信機能部のジョブ削除処理動作のフローチャートである。
【図１５】第２の実施形態に係る複合機の構成を示すブロック図である。
【図１６】第２の実施形態に係る画像配信機能部の配信先削除処理動作のフローチャートである。
【発明を実施するための形態】
【００１０】
以下、図面を参照して、本発明の実施の形態（以下、「本実施形態」と称する）につき詳細に説明する。なお、各図は、本発明について概略的に示してあるに過ぎない。よって、本発明は、図示例のみに限定されるものではない。また、各図において、共通する構成要素や同様な構成要素については、同一の符号を付し、それらの重複する説明を省略する。
【００１１】
図１は、複合機を含む配信システムを示す図である。
この図１に示すように、画像配信システム１は、画像配信装置としての複合機２と、複数の情報処理装置３とを備える。そして、複合機２は、情報処理装置３（管理用情報処理装置３１，一般用情報処理装置３２）それぞれと、ＬＡＮ（Local Area Network）や電話回線などの有線または無線によるネットワークＮ１を介して、通信可能に接続されている。
また、複合機２は、例えば、ファクシミリ装置４ａやコンピュータ４ｂである受信装置４（４ａ，４ｂ，・・・）それぞれとＷＡＮ（Wide Area Network）やＬＡＮ（Local Area Network）、電話回線などの有線または無線によるネットワークＮ２を介して、通信可能に接続し、ＦＡＸや電子メールを受信装置４に送信する。
【００１２】
（複合機２）
複合機２は、印刷機能部５１、ＦＡＸ機能部５２、スキャナ機能部５３、電子メール機能部５４、画像配信機能部５５などを備え、紙などの媒体表面から画像を読み取る機能や、読み取った画像データを画像処理する画像処理機能、画像処理した画像データを、ネットワークＮを介して、所定の条件を満たしたときに情報処理装置３に配信する画像配信機能などを実行する装置である。
この複合機２は、例えば、電子写真記録方式のプリンタ、ファクシミリ装置、複写機、ＭＦＰ（Multifunction Peripheral：多機能周辺装置）などを備える。
【００１３】
（情報処理装置３）
情報処理装置３は、複合機２からネットワークＮ１を介して、画像が送信される一般的なコンピュータ（ＰＣ；Personal Computer）であり、管理用情報処理装置３１と、一般用情報処理装置３２とを含む。
【００１４】
管理用情報処理装置３１は、複合機２を管理する権限を有する管理ユーザが利用するコンピュータである。管理用情報処理装置３１を用いることで、管理ユーザは複合機２にアクセスして、一般ユーザの追加・削除設定や、処理動作に使われる設定値の変更などの管理をすることができる。この管理用情報処理装置３１は、複数あっても構わない。
【００１５】
一般用情報処理装置３２は、管理ユーザから複合機２を利用する権限が与えられた一般ユーザが利用するコンピュータである。一般用情報処理装置３２を用いることで、一般ユーザは複合機２にアクセスすることができる。この一般用情報処理装置３２は、図１に示すように、一般用情報処理装置３２ａ，３２ｂ，３２ｃ，・・・というように複数あっても構わない。
【００１６】
《第１の実施形態》
図２は、第１の実施形態に係る複合機の構成を示すブロック図である。
複合機２は、印刷機能部５１と、ＦＡＸ機能部５２と、スキャナ機能部５３と、電子メール機能部５４と、画像配信機能部５５と、機能制御部５０とを備える。
ここで、印刷機能部５１と、ＦＡＸ機能部５２と、スキャナ機能部５３と、電子メール機能部５４とは、一般的な複合機が備える機能であるため、説明を省略する。例えば、印刷機能部５１は、紙などの媒体に画像を形成する。ＦＡＸ機能部５２は、ネットワークＮ２を介して画像データを送信する。スキャナ機能部５３は、紙などの媒体表面から画像を読み取る。電子メール機能部５４は、ネットワークＮ１またはネットワークＮ２を介して電子メールで画像データなどを送信する。
【００１７】
この第１の実施形態に係る複合機２は、画像を取り込んで画像データを生成したユーザであれば、自動配信される前の画像データを削除することができる構成となっている。これにより、一般ユーザであっても、画像データの自動配信をキャンセルすることができる。
【００１８】
＜機能制御部５０＞
機能制御部５０は、印刷機能部５１や、ＦＡＸ機能部５２、スキャナ機能部５３（画像データ生成部）、電子メール機能部５４、画像配信機能部５５を制御して、複合機２として機能させる制御部である。
第１の実施形態における機能制御部５０が行う処理についての詳細は後記する。
【００１９】
＜画像配信機能部５５＞
画像配信機能部５５は、本実施形態の特徴的な構成であり、制御部２１と、記憶部２３と、ユーザからの入力を受け付ける操作入力部２４（入力部２２）と、ユーザが視認可能な画面表示部２５と、ネットワークＮ１と接続する通信部２６（入力部２２）と、時刻を取得するタイマ部２７とを備える。
【００２０】
＜操作入力部２４＞
操作入力部２４（入力部２２）は、ユーザにより操作されて、データが入力される入力部であり、例えば、キーボードやマウスなどである。本実施形態において、後記する「ユーザＩＤ」および「パスワード」のユーザ情報や、「投入ジョブ種別」や「送信先アドレス」といった付属情報などが入力される。
＜画面表示部２５＞
画面表示部２５は、ユーザが視認可能なように画面に操作指示を表示する表示部であり、例えば、ＬＣＤ（Liquid Crystal Display）である。
ここで、第１の実施形態の複合機２は、操作入力部２４および画面表示部２５の機能を有するタッチパネルを備えてもよい。
【００２１】
＜通信部２６＞
通信部２６（入力部２２）は、ネットワークＮ１と接続し、情報処理装置３とデータの送受信を行う。管理用情報処理装置３１からは、複合機２にアクセスするユーザが“管理ユーザ”であることを示す「ユーザＩＤ（IDentification）」および「パスワード」を含む特定ユーザ情報や、配信先ＤＢ２３６に配信先メールアドレスを追加するための情報などが送信される。一方、一般用情報処理装置３２からは、複合機２にアクセスするユーザが“一般ユーザ”であることを示すユーザＩＤおよびパスワードを含む一般ユーザ情報や、画像データの配信の中止を指示する「ジョブのキャンセル指示」などが送信される。
このユーザＩＤから、ユーザが“特定ユーザ／一般ユーザ”を判別することができるようになっている。
【００２２】
＜記憶部２３＞
記憶部２３は、データを記憶する記憶部であり、例えば、ＲＡＭ（Random Access Memory）、ＨＤＤ（Hard Disc Drive）などである。この記憶部２３は、配信条件記憶部２３１と、配信待ちジョブ記憶部２３２と、アカウント記憶部２３３と、アドレス記憶部２３４と、ユーザ管理ＤＢ２３５と、配信先ＤＢ２３６とを備える。
【００２３】
（配信条件記憶部２３１）
配信条件記憶部２３１は、予め設定された配信条件を記憶する記憶部である。この配信条件に合致する『配信ジョブ』が配信される。第１の実施形態における配信条件記憶部２３１には、配信条件として、ユーザ所属情報ごとに配信が許可された自動配信時間帯が記憶されている。
この配信条件記憶部２３１には、例えば、図３に示す情報が記憶されており、“開発部”に所属する社員が複合機２を利用して画像を読み取った場合に、このときの画像データが配信される（自動配信される）時間帯（13:00〜15:00）が記憶されている。
【００２４】
（配信待ちジョブ記憶部２３２）
配信待ちジョブ記憶部２３２は、配信対象の画像データを含む『配信ジョブ』を一時的に記憶する記憶部である。
【００２５】
（アカウント記憶部２３３）
アカウント記憶部２３３は、ユーザを識別する「ユーザＩＤ」と、「パスワード」と、「ユーザ所属情報」との３つが関連付けられて記憶され、それぞれに識別情報（アカウント識別情報）が付与された記憶部である。
アカウント記憶部２３３には、例えば、図４に示す情報が記憶されており、ユーザがログイン時に入力部２２に入力した「ユーザＩＤ」および「パスワード」と、アカウント記憶部２３３に記憶された「ユーザＩＤ（user_id-03）」および「パスワード（pw-03）」とを比較することで、ユーザ認証を行うことができる。また、そのユーザの「ユーザ所属情報（開発部）」を取得することができる。
このアカウント記憶部２３３に記憶された情報を削除したり、追加したりすることは、“管理ユーザ”の「ユーザＩＤ」で複合機２にログインしなければ行うことができない。
【００２６】
（アドレス記憶部２３４）
アドレス記憶部２３４は、『配信ジョブ』の配信先となる情報処理装置３の情報を記憶し、それぞれに識別情報（アドレス識別情報）が付与された記憶部である。
アドレス記憶部２３４には、例えば、図５に示す情報が記憶されており、「アドレス識別情報（ad_index-01）」から、「メールアドレス（soumu01@***.com）」を取得することができる。
ここで、第１の実施形態において、複合機２は、画像データを電子メールで配信するため、アドレス記憶部２３４は電子メールアドレスを記憶しているが、画像データをファクシミリで配信しても構わない。この場合、アドレス記憶部２３４には、ファクシミリ番号が記憶される。
このアドレス記憶部２３４に記憶された情報を削除したり、追加したりすることは、“管理ユーザ”の「ユーザＩＤ」で複合機２にログインしなければ行うことができない。
【００２７】
（ユーザ管理ＤＢ２３５）
ユーザ管理ＤＢ２３５は、アカウント記憶部２３３のアカウント識別情報と、アドレス記憶部２３４のアドレス識別情報とを関連付けて記憶し、それぞれに識別情報（配信先識別情報）が付与された記憶部である。
このユーザ管理ＤＢ２３５には、例えば、図６に示す情報が記憶されており、「配信先識別情報（ctl_index-01）」から、「アドレス識別情報（ad_index-01）」に基づき、（アドレス記憶部２３４（図５）を参照）「メールアドレス（soumu01@***.com）」を取得することができる。
このユーザ管理ＤＢ２３５に記憶された情報を削除したり、追加したりすることは、“管理ユーザ”の「ユーザＩＤ」で複合機２にログインしなければ行うことができない。
【００２８】
（配信先ＤＢ２３６）
配信先ＤＢ２３６は、配信条件記憶部２３１に記憶された条件情報と、ユーザ管理ＤＢ２３５の配信先識別情報とを関連付けて記憶する記憶部である。
第１の実施形態において、条件情報は「ユーザ所属情報」であり、配信先ＤＢ２３６には、その「ユーザ所属情報」が「配信先グループ識別情報」として記憶されている。
この配信先ＤＢ２３６には、例えば、図７に示す情報が記憶されており、“開発部”に所属する社員（「ユーザ所属情報」（開発部））の場合、“開発部”の「配信先グループ識別情報」に属するグループに含まれる「配信先識別情報（ctl_index-01、ctl_index-02）」に該当する（アドレス記憶部２３４（図５）およびユーザ管理ＤＢ２３５（図６）を参照）総務部に所属する社員（ad_index-01、ad_index-02）の「メールアドレス（soumu01@***.com、soumu02@***.com）」が、電子メールの宛先として設定される。
【００２９】
＜制御部２１＞
制御部２１は、画像配信機能部５５を制御する制御部であり、例えば、ＣＰＵ（Central Processing Unit）である。この制御部２１は、ジョブ処理部２１０と、入力データ取得部２２０と、通信制御部２３０と、画面データ生成部２４０とを備える。
ここで、制御部２１は、機能制御部５０の機能を備える一つの制御部であってもよい。
【００３０】
（入力データ取得部２２０）
入力データ取得部２２０は、操作入力部２４に入力されたデータを取得し、取得したデータをジョブ処理部２１０（ジョブ認識部２１１）に出力する処理部である。
【００３１】
（通信制御部２３０）
通信制御部２３０は、通信部２６を制御し、その通信部２６を介してデータの送受信を行い、受信したデータをジョブ処理部２１０（ジョブ認識部２１１）に出力する処理部である。
また、通信制御部２３０は、後記する電子メール機能部５４から電子メールを取得して、そのメールアドレス先へ通信部２６に送信させる。
【００３２】
（ジョブ処理部２１０）
ジョブ処理部２１０は、入力データ取得部２２０および通信制御部２３０から、ジョブおよび付属情報を取得して、ジョブを処理し、機能制御部５０に処理を指示したり、記憶部２３からデータを取得したり、記憶部２３にデータを記憶させたりする処理部である。
このジョブ処理部２１０は、ジョブ認識部２１１と、ジョブ管理部２１２と、ユーザ認証部２１３と、配信管理部２１４と、配信要求部２１５と、ジョブ削除部２１６（キャンセル部）とを備える。
【００３３】
（ジョブ認識部２１１）
ジョブ認識部２１１は、入力部２２からデータを取得したデータに基づき、ジョブを生成する処理部である。第１の実施形態において、ジョブ認識部２１１は、入力部２２に入力された情報に基づき、『投入ジョブ』（図８を参照）や『配信先アドレス除去ジョブ』（図９を参照）を生成する。そして、生成したジョブと抽出した付属情報とをジョブ管理部２１２に出力する。
ジョブ認識部２１１は、操作入力部２４に入力されたデータを入力データ取得部２２０を経由して取得する。また、通信部２６が受信したデータを通信制御部２３０を経由して取得する。ジョブ認識部２１１は、その取得したデータを解析してジョブを生成し、さらに、そのジョブをジョブ処理部２１０が実行するために必要な付属情報を抽出する。抽出される付属情報は、例えば、ＦＡＸ送信であれば「送信先電話番号」であり、電子メール送信であれば「送信先メールアドレス」であり、また、印刷であれば「解像度、色の濃さ、両面／片面印刷や印刷部数など」である。
その後、ジョブ認識部２１１は、生成したジョブと抽出した付属情報とをジョブ管理部２１２に出力する。
【００３４】
例えば、入力部２２に入力された、「ユーザＩＤ」および「パスワード」のユーザ情報と、ＦＡＸ送信を指示する「投入ジョブ種別」や「送信先アドレス」などの付属情報とを、ジョブ認識部２１１は取得する。まず、「ユーザＩＤ」および「パスワード」のユーザ情報とを含む『ユーザ認証ジョブ』を生成して、ジョブ管理部２１２を介して、ユーザ認証部２１３にユーザ認証処理を実行させる。そして、ジョブ認識部２１１は、ユーザ認証部２１３からの認証結果“認証ＯＫ”を受けて、入力されたユーザ情報に基づき、アカウント記憶部２３３から「ユーザ所属情報」を取得し、さらに、タイマ部２７から「ジョブ投入時刻」を取得し、『投入ジョブ』を生成する。
一方、入力部２２に、「ユーザＩＤ」および「パスワード」のユーザ情報と、「ジョブのキャンセル指示」が入力された場合、同様に、ジョブ認識部２１１は、ユーザ認証部２１３にユーザ認証処理を実行させる。そして、ユーザ認証部２１３からの認証結果“認証ＯＫ”を受けて、入力されたユーザ情報に基づき、アカウント記憶部２３３から「ユーザ所属情報」を取得し、ユーザ情報と「ユーザ所属情報」とを含む『キャンセルジョブ』を生成する。
【００３５】
（投入ジョブ）
『投入ジョブ』は、ユーザが画像を取り込む操作を行うことで生成されるジョブデータであり、図８に示すように、ユーザ情報と、条件判定対象情報と、付属情報（入力付属情報、登録付属情報）とで構成される。ここで、ユーザ情報および入力付属情報は、操作入力部２４を操作して、ユーザが入力した情報である。まず、ユーザ情報は「ユーザＩＤ」および「パスワード」である。条件判定対象情報は、記憶部２３に記憶された所定の配信条件と比較する対象の情報であり、「ユーザ所属情報」および「ジョブ投入時刻」である。この比較対象となる所定の配信条件とは、図３に示す配信条件記憶部２３１の情報である。その他の付属情報である、入力付属情報は「投入ジョブ種別」や「送信先アドレス」などのジョブの実行に関する情報や、画像を取り込みの条件を指定した「画質」といった画像に関する情報などである。登録付属情報は、ユーザ情報に基づき取得が可能な、記憶部２３（アカウント記憶部２３３）に記憶されたユーザに係る「勤務年数」や「役職」である。
【００３６】
（キャンセルジョブ）
『キャンセルジョブ』は、「ジョブのキャンセル指示」が入力されることで生成されるジョブデータであり、図９に示すように、「ユーザＩＤ」および「パスワード」で構成される。
【００３７】
（ジョブ管理部２１２）
ジョブ管理部２１２は、ジョブ認識部２１１からジョブおよび付属情報を取得して、ジョブの内容を解析して、その解析結果に応じて、ユーザ認証部２１３、配信管理部２１４、配信要求部２１５、ジョブ削除部２１６、機能制御部５０、画面データ生成部２４０へとジョブを振り分け、そのジョブの処理状況を監視（ジョブ監視）し、処理が終了したことを判断する処理部である。
【００３８】
ジョブ管理部２１２が行うジョブ監視は、ジョブがまだ処理開始前の待機中なのか、処理が行われて実行中なのか、開始したがエラーが発生して一時停止中なのかなどを監視する。また、ジョブが正常に終了したか、または異常で終了したのかを監視する。そして、異常で終了した場合には、何が原因なのかを監視する。そして、処理中のジョブに対しての問い合わせを受け付けて、監視中のジョブが現在行われている処理の情報を応答する処理を行う。
また、ジョブ管理部２１２は、ジョブ監視以外にジョブの実行も制御する。例えば、実行開始指示、一時停止指示、キャンセル指示、再開指示などを行う。ジョブ管理部２１２は、いずれの指示についても、実行前にはジョブに含まれるユーザＩＤを確認し、指示したユーザがログイン時に入力したユーザＩＤと一致すればジョブを実行し、異なれば実行を拒否するなどの対応を行う。
【００３９】
（ユーザ認証部２１３）
ユーザ認証部２１３は、入力部２２（操作入力部２４や通信部２６）から取得したデータからユーザ情報を取得する。本実施形態におけるユーザ情報は「ユーザＩＤ」および「パスワード」からなる。
ユーザ認証部２１３は、そのユーザ情報と、アカウント記憶部２３３に予め記憶された「ユーザＩＤ」および「パスワード」とを比較し、ユーザ情報が、管理ユーザ権限があるものか、一般ユーザ権限があるものか、もしくは、無権限のものかを判定する。
【００４０】
（配信管理部２１４）
配信管理部２１４は、投入ジョブ（図８参照）から「条件判定対象情報」を抽出する。本実施形態における「条件判定対象情報」とは、“ユーザ所属情報”および“ジョブ投入時刻”であるとする。
【００４１】
配信管理部２１４は、その条件判定対象情報と、配信条件記憶部２３１に予め記憶された“配信条件情報”とを比較し、ジョブ投入時刻が、ユーザ所属情報ごとに設定された自動配信時間帯内であるか否かを判定する。自動配信時間内である場合は、自動配信許可通知をジョブ管理部２１２に出力する。これにより、ジョブ管理部２１２は、画像データを含む『配信ジョブ』を配信要求部２１５に処理を実行させる。
一方、自動配信時間帯に該当しない場合は、ジョブ管理部２１２から画像データを含む『配信ジョブ』を取得して、配信待ちジョブ記憶部２３２に記憶させる。その後、配信管理部２１４は、所定のタイミングでタイマ部２７から現在時刻を取得し、時刻が自動配信時間帯となったときに、配信待ちジョブ記憶部２３２に記憶されたジョブを、自動配信許可通知と共にジョブ管理部２１２に出力する。これにより、ジョブ管理部２１２は配信要求部２１５に処理を実行させる。
【００４２】
（配信要求部２１５）
配信要求部２１５は、『配信ジョブ』に含まれる情報に基づいて、電子メール形式のデータを生成し、機能制御部５０に電子メールの送信を要求する処理部である。
例えば、配信要求部２１５は、配信管理部２１４から『配信ジョブ』を取得して、『配信ジョブ』から「配信先グループ識別情報」を抽出する。配信先ＤＢ２３６を参照して、「配信先グループ識別情報」と係る「配信先識別情報」をすべて抽出して、ユーザ管理ＤＢ２３５を参照して、抽出した「配信先識別情報」に係る「アドレス識別情報」に基づき、アドレス記憶部２３４から「メールアドレス」を抽出する。これにより、抽出したすべての「配信先識別情報」に係る「メールアドレス」を取得することができる。これらの「メールアドレス」を電子メールの宛先情報する。そして、『配信ジョブ』に含まれる画像データを抽出して添付情報とする。これらの情報に基づき、配信要求部２１５は、電子メール形式のデータを生成し、機能制御部５０に出力することにより、電子メールの送信を要求する。
以上により、機能制御部５０を介して、電子メールの送信要求を取得した電子メール機能部５４は、「メールアドレス」宛てに、画像データが添付された電子メールを送信することが可能になる。
【００４３】
（ジョブ削除部２１６）
ジョブ削除部２１６は、配信待ちジョブ記憶部２３２に記憶された『配信ジョブ』を削除する処理部である。
ジョブ削除部２１６は、ジョブ認識部２１１から『キャンセルジョブ』を取得し、『キャンセルジョブ』に含まれる「ユーザＩＤ」を抽出する。その「ユーザＩＤ」と一致する（対応する）、配信待ちジョブ記憶部２３２に記憶された『配信ジョブ』に含まれる「ユーザＩＤ」を検索する。検索の結果、『配信ジョブ』が検出された場合、その『配信ジョブ』を配信待ちジョブ記憶部２３２から削除する。
そのため、『配信ジョブ』の配信を中止することができる。
【００４４】
＜画面データ生成部２４０＞
画面データ生成部２４０は、ユーザが視認可能な画面表示部２５に、画面データを生成する処理部である。例えば、ユーザ認証に失敗した場合は、再度、入力部２２に、ユーザ情報（「ユーザＩＤ」および「パスワード」）を入力するように促す認証ＮＧ画面データを生成し、画面表示部２５に出力する。
【００４５】
＜機能制御部５０＞
機能制御部５０は、ジョブ管理部２１２から取得したジョブの内容に応じて、各機能部にジョブを振り分けて、ジョブを実行させる。
また、機能制御部５０は、スキャナ機能部５３が形成した画像データを取得した場合、その画像データをジョブ管理部２１２に出力する。
これにより、配信する画像データを含めたジョブをジョブ管理部２１２は生成することができ、生成したジョブを配信待ちジョブ記憶部２３２に記憶させることができる。
【００４６】
ジョブ管理部２１２は、複合機２を制御するジョブを取得した場合、ジョブを機能制御部５０に出力し、処理を行わせる。
例えば、配信管理部２１４から自動配信許可通知を取得したジョブ管理部２１２は、配信要求部２１５を実行させ、配信先ＤＢ２３６から、該当する配信先アドレスを取得し、配信先アドレスと、配信する画像データとを含めた、電子メール機能部５４に電子メールを生成させるジョブを、機能制御部５０に出力する。
【００４７】
［画像配信機能部の画像配信処理動作］
次に、図１０〜図１２を参照して、画像配信機能部５５の画像配信処理動作について説明する（適宜、図１ないし図９を参照）。図１０〜図１２は、画像配信機能部５５の画像配信処理動作のフローチャートである。
【００４８】
まず、ユーザが、操作入力部２４を操作して、「ユーザＩＤ」と「パスワード」とＦＡＸ送信（「投入ジョブ種別」）などの付属情報とを入力する（ステップＳ１０１）。これにより、操作入力部２４に入力されたデータが入力データ取得部２２０を介して、ジョブ認識部２１１に出力される。
ジョブ認識部２１１は、「ユーザＩＤ」および「パスワード」のユーザ情報とを含む『ユーザ認証ジョブ』を生成して、ジョブ管理部２１２を介して、ユーザ認証部２１３にユーザ認証処理を実行させる。
【００４９】
ユーザ認証部２１３は図１３に示す“ユーザ認証処理”を実行して（ステップＳ１０２）、その認証結果を判定する（ステップＳ１０３）。ここで、認証が失敗した場合（ステップＳ１０３，認証ＮＧ）、ステップＳ１０１に戻る。
【００５０】
一方、認証が成功した場合（ステップＳ１０３，認証ＯＫ）、ジョブ認識部２１１は、「ユーザＩＤ」および「パスワード」のユーザ情報を用いて、アカウント記憶部２３３から「ユーザ所属情報」を取得する。さらに、ジョブ認識部２１１は、タイマ部２７から「ジョブ投入時刻」を取得する。そして、ジョブ認識部２１１は『投入ジョブ』（図８を参照）を生成する（ステップＳ１０４）。
その後、ジョブ管理部２１２は、『投入ジョブ』および付属情報から、ＦＡＸ送信を行わせる『機能実行ジョブ』（ＦＡＸ送信）を生成し、機能制御部５０に出力する（ステップＳ１０５）。
【００５１】
これにより、機能制御部５０は、取得した『機能実行ジョブ』（ＦＡＸ送信）に基づき、各機能部を制御する。まず、スキャナ機能部５３に処理を実行させて、媒体から画像を読み取って、画像データを生成させる。次に、ＦＡＸ機能部５２に処理を実行させて、その画像データをＦＡＸ送信させる。
【００５２】
ジョブ管理部２１２は、機能制御部５０から、スキャナ機能部５３が生成した画像データを取得し（ステップＳ１０６）、その取得した画像データと、『投入ジョブ』に含まれる情報とを含めた『配信ジョブ』を生成する（ステップＳ１０７）。
【００５３】
配信管理部２１４は、ジョブ管理部２１２から『配信ジョブ』を取得し（ステップＳ１０８）、さらに、配信管理部２１４は、アカウント記憶部２３３から「ユーザ所属情報」を取得する（ステップＳ１０９）。
配信管理部２１４は、配信条件記憶部２３１を参照し（ステップＳ１１０，図１１）、配信条件が記憶されているか否かを判定する（ステップＳ１１０）。本実施例では、ステップＳ１０９で取得した「ユーザ所属情報」が配信条件記憶部２３１内に記憶されているか否かで判定する。
配信条件が記憶されていない場合（ステップＳ１１０，Ｎｏ）、ジョブ管理部２１２は、画像配信機能部５５が実行するすべての処理を終了する。
【００５４】
一方、配信条件が記憶されている場合（ステップＳ１１０，Ｙｅｓ）、配信管理部２１４は、配信条件記憶部２３１から配信条件を抽出する（ステップＳ１１２）。このとき、「ユーザ所属情報」および「自動配信時間帯」が抽出される。
さらに、配信管理部２１４は、配信条件記憶部２３１を参照し、他に配信条件があるか否かを判定する（ステップＳ１１３）。ここで、配信条件が記憶されている場合（ステップＳ１１３，Ｙｅｓ）、ステップＳ１１２へ戻る。
【００５５】
一方、配信条件記憶部２３１に配信条件が記憶されていない場合（ステップＳ１１３，Ｎｏ）、配信管理部２１４は、配信先ＤＢ２３６を介して「配信先グループ識別情報」を取得し（ステップＳ１１４）、『配信ジョブ』に「配信先グループ識別情報」を含める更新を行う（ステップＳ１１５）。
【００５６】
次に、配信管理部２１４は、『配信ジョブ』の「ジョブ投入時刻」が、抽出した配信条件「自動配信時間帯」の時間内であるか否かを判定する（ステップＳ１１６）。
ここで、「ジョブ投入時刻」が「自動配信時間帯」の時間内であれば（ステップＳ１１６，Ｙｅｓ）、配信管理部２１４は、自動配信許可通知とともに『配信ジョブ』をジョブ管理部２１２に出力する。これにより、『配信ジョブ』は、ジョブ管理部２１２を介して、配信要求部２１５に出力される。そして、後記するステップＳ１２１（図１２）の処理に移行する。
【００５７】
一方、「ジョブ投入時刻」が「自動配信時間帯」の時間外であれば（ステップＳ１１６，Ｎｏ）、配信管理部２１４は、更新後の『配信ジョブ』を配信待ちジョブ記憶部２３２に記憶させる（ステップＳ１１７）。
【００５８】
その後、配信管理部２１４は、タイマ部２７から「現在時刻」を取得（ステップＳ１１８，図１２）し、「現在時刻」が配信条件「自動配信時間帯」の時間内であるか否かを判定する（ステップＳ１１９）。
「現在時刻」が「自動配信時間帯」の時間外であれば（ステップＳ１１９，Ｎｏ）、所定のタイミングで再びステップＳ１１８の処理を行う。
【００５９】
一方、「現在時刻」が「自動配信時間帯」の時間内であれば（ステップＳ１１９，Ｙｅｓ）、配信管理部２１４は、配信待ちジョブ記憶部２３２から『配信ジョブ』を抽出する（ステップＳ１２０）。そして、配信管理部２１４は、『配信ジョブ』および自動配信許可通知をジョブ管理部２１２に出力する。
【００６０】
この自動配信許可通知を取得したジョブ管理部２１２は、配信要求部２１５に処理を実行させる。
まず、配信要求部２１５は、ジョブ管理部２１２を介して、配信管理部２１４から『配信ジョブ』を取得する（ステップＳ１２１）。
次に、配信要求部２１５は、『配信ジョブ』に含まれる「配信先グループ識別情報」を抽出し（ステップＳ１２２）、配信先ＤＢ２３６を参照して、「配信先グループ識別情報」に係る「メールアドレス」を抽出する（ステップＳ１２３）。
例えば、配信先ＤＢ１３６が図７の場合、「配信先グループ識別情報（開発部）」を参照して、「配信先識別情報（ctl_index-01、ctl_index-02）」を抽出し、ユーザ管理ＤＢ２３５を参照して、「メールアドレス（soumu01@***.com、soumu02@***.com）」を抽出する（図６およびアドレス記憶部２３４（図５）を参照）。
そして、配信要求部２１５は、『配信ジョブ』に含まれる情報に基づいて、抽出した「メールアドレス」を宛先とした電子メール形式のデータを生成し、機能制御部５０に出力する（ステップＳ１２４）。そして、画像配信機能部５５はすべての処理を終了する。
【００６１】
ステップＳ１２２の処理後、機能制御部５０は、電子メール機能部５４に処理を実行させる。これにより、「メールアドレス」宛てに、画像データが添付された電子メールが送信される。
【００６２】
［画像配信機能部のユーザ認証処理動作］
次に、図１３を参照して、画像配信機能部５５のユーザ認証処理動作について説明する（適宜、図１ないし図１２を参照）。図１３は、画像配信機能部５５のユーザ認証処理動作のフローチャートである。
【００６３】
まず、ユーザ認証部２１３は、アカウント記憶部２３３を参照し（ステップＳ２０１）、入力された「ユーザＩＤ」および「パスワード」と一致する「ユーザＩＤ」および「パスワード」が記憶されているか否かで、認証判定を行う（ステップＳ２０２）。
認証が成功した場合（ステップＳ２０２，認証ＯＫ）、ユーザ認証部２１３は、ユーザ認証処理を終了する。
【００６４】
一方、認証が失敗した場合（ステップＳ２０２，認証ＮＧ）、ユーザ認証部２１３は画面データ生成部２４０に処理をさせる。画面データ生成部２４０は、認証ＮＧ画面データを生成し（ステップＳ２０３）、認証ＮＧ画面データを画面表示部２５に出力する。これにより、画面表示部２５は、認証ＮＧ画面を表示する（ステップＳ２０４）。そして、ユーザ認証部２１３は、ユーザ認証処理を終了する。
【００６５】
［画像配信機能部のジョブ削除処理動作］
次に、図１４を参照して、画像配信機能部５５のジョブ削除処理動作について説明する（適宜、図１ないし図９を参照）。図１４は、画像配信機能部５５のジョブ削除処理動作のフローチャートである。
【００６６】
まず、ユーザが、操作入力部２４を操作して、操作入力部２４に「ユーザＩＤ」と「パスワード」と「ジョブのキャンセル指示」とを入力する（ステップＳ３０１）。これにより、操作入力部２４に入力されたデータが入力データ取得部２２０を介して、ジョブ認識部２１１に出力される。
ジョブ認識部２１１は、「ユーザＩＤ」および「パスワード」のユーザ情報とを含む『ユーザ認証ジョブ』を生成して、ジョブ管理部２１２を介して、ユーザ認証部２１３にユーザ認証処理を実行させる。
【００６７】
ユーザ認証部２１３は図１３に示す“ユーザ認証処理”を実行して（ステップＳ１０２）、その認証結果を判定する（ステップＳ３０２）。ここで、認証が失敗した場合（ステップＳ３０２，認証ＮＧ）、ステップＳ３０１に戻る。
【００６８】
一方、認証が成功した場合（ステップＳ３０２，認証ＯＫ）、ジョブ認識部２１１は、「ユーザＩＤ」と「パスワード」と「ジョブのキャンセル指示」とから『キャンセルジョブ』（図９を参照）を生成し（ステップＳ３０３）、ジョブ管理部２１２に出力する。
【００６９】
次に、『キャンセルジョブ』を取得したジョブ管理部２１２は、ジョブ削除部２１６に処理させる。ジョブ削除部２１６は、『キャンセルジョブ』に含まれる「ユーザＩＤ」を抽出する（ステップＳ３０４）。
ジョブ削除部２１６は、抽出した「ユーザＩＤ」と一致する、配信待ちジョブ記憶部２３２に記憶された『配信ジョブ』に含まれる「ユーザＩＤ」を検索する（ステップＳ３０５）。検索の結果、検出した『配信ジョブ』を配信待ちジョブ記憶部２３２から削除する（ステップＳ３０６）。
以上で、画像配信機能部５５は、ジョブ削除処理を終了する。
【００７０】
《第２の実施形態》
図１５は、第２の実施形態に係る画像処理装置としての複合機の構成を示すブロック図である。ここで、第１の実施形態に係る複合機２と共通する構成要素や同様な構成要素については、同一の符号を付し、それらの重複する説明を省略する。
第２の実施形態に係る複合機２Ａは、第１の実施形態に係る複合機２のジョブ削除部２１６の代わりに、配信先削除部２１７を備えたものである。
【００７１】
この第２の実施形態に係る複合機２Ａは、例えば、図７に示すように、総務部に所属する社員を示す「配信先識別情報（ctl_index-02）」が、配信先ＤＢ２３６の「配信先グループ識別情報（開発部）」に記憶されている。そのため、その総務部の社員には、開発部の社員が複合機２Ａを操作することで、開発部の社員から画像データが自動配信される設定となっている。ここで、第２の実施形態に係る複合機２Ａは、総務部の社員が、開発部の社員から画像データが自動配信される設定を解除する処理を行うことができる構成となっている。これにより、一般ユーザであっても、画像データの自動配信をキャンセルすることができる。
【００７２】
（ジョブ認識部２１１Ａ）
ジョブ認識部２１１Ａは、入力部２２に入力された情報に基づき、『投入ジョブ』や『配信先アドレス除去ジョブ』（図１６）を生成する。
例えば、入力部２２に、「ユーザＩＤ」および「パスワード」のユーザ情報と、「配信拒否情報」が入力されることで、ジョブ認識部２１１Ａは、まず、ユーザ認証部２１３にユーザ認証処理を実行させる。そして、ユーザ認証部２１３からの認証結果“認証ＯＫ”を受けて、入力されたユーザ情報に基づき、ジョブ認識部２１１Ａは『配信先アドレス除去ジョブ』を生成する。
【００７３】
（配信先アドレス除去ジョブ）
一方、『配信先アドレス除去ジョブ』は、配信先ＤＢ２３６にて、画像データが自動配信されるように予め設定された「配信先識別情報」から、指定する「配信先識別情報」を削除するジョブデータであり、ユーザ情報と、本実施形態における「配信先グループ識別情報」である「ユーザ所属情報」とで構成される。これらの情報は、第１実施形態の『キャンセルジョブ』（図１０を参照）を構成する情報と同じであるため、説明を省略する。
この『配信先アドレス除去ジョブ』が実行されることにより、配信先ＤＢ２３６から「配信先識別情報」を削除することで、自動配信は行われなくなるものの、アカウント記憶部２３３に記憶された「ユーザＩＤ」や、アドレス記憶部２３４に記憶された「パスワード」を削除することはない。そのため、管理ユーザに依頼することで、配信先ＤＢ２３６に再び「配信先識別情報」を登録することで、再度、自動配信されるようになる。
【００７４】
（ジョブ管理部２１２Ａ）
ジョブ管理部２１２Ａは、第１の実施形態に係るジョブ管理部２１２（図２）が行う処理の他に、ジョブ認識部２１１Ａから『配信先アドレス除去ジョブ』を取得したときに、配信先削除部２１７に出力する処理部である。
【００７５】
（配信先削除部２１７）
配信先削除部２１７は、配信先ＤＢ２３６から「ユーザＩＤ」と係る「配信先識別情報」を削除する処理部である。
まず、ユーザ管理ＤＢを介して、アカウント記憶部２３３から「ユーザＩＤ」に係る「アカウント識別情報」を取得し、ユーザ管理部２３５から「アカウント識別情報」に係る「配信先識別情報」を取得する。これにより、配信先ＤＢ２３６から「配信先識別情報」を含む「配信先グループ識別情報」を検索することができる。検索の結果、「配信先識別情報」を含む「配信先グループ識別情報」が検出された場合、ユーザ管理ＤＢ２３５の「配信先グループ識別情報」に含まれる、「ユーザＩＤ」と係る「配信先識別情報」を削除する。
【００７６】
ここで、配信先ＤＢ２３６に記憶された情報のうち、「配信先グループ識別情報」を削除したり、追加したりすることは、“管理ユーザ”の「ユーザＩＤ」で複合機２にログインしなければ行うことができない。しかし、「配信先グループ識別情報」に関連付けられた「配信先識別情報」が、複合機２にログインしたユーザを示す「配信先識別情報」であれば、ユーザは、自身を示す「配信先識別情報」を配信先ＤＢ２３６から削除することができる。つまり、総務部に所属する社員（「配信先識別情報（ctl_index-02）」）であれば、配信先ＤＢ２３６から「配信先グループ識別情報（開発部）」に係る「配信先識別情報（ctl_index-02）」を削除することができる。
【００７７】
第２の実施形態に係る画像配信機能部５５Ａは、上記の構成を備えることにより、配信要求部１２１が、配信待ちジョブ２３２に記憶された『配信ジョブ』の配信処理を行う際に、『配信ジョブ』に含まれる「配信先グループ識別情報」を抽出して、配信先ＤＢ２３６から「配信先グループ識別情報」に係る「メールアドレス」を抽出するが、このとき、「配信先識別情報」が削除されているため、削除された「ユーザＩＤ」に係る「メールアドレス」は宛先とならない。
そのため、削除された「ユーザＩＤ」に係るユーザへの『配信ジョブ』の配信を中止することができる。
【００７８】
また、このとき、アカウント記憶部２３３、アドレス記憶部２３４、ユーザ管理ＤＢ２３５に記憶された情報を削除することはないため、管理ユーザは、配信先ＤＢ２３６の「配信先グループ識別情報」に「配信先識別情報」を追加するだけで、配信先アドレスの追加を行うことができる。
【００７９】
［画像配信機能部の配信先削除処理動作］
次に、図１６を参照して、画像配信機能部５５Ａの配信先削除処理動作について説明する（適宜、図１３および図１５を参照）。図１６は、画像配信機能部５５Ａの配信先削除処理動作のフローチャートである。
【００８０】
まず、ユーザが、操作入力部２４を操作して、操作入力部２４に「ユーザＩＤ」と「パスワード」と「配信拒否指示」とを入力する（ステップＳ４０１）。これにより、操作入力部２４に入力されたデータが入力データ取得部２２０を介して、ジョブ認識部２１１Ａに出力される。
ジョブ認識部２１１Ａは、「ユーザＩＤ」および「パスワード」のユーザ情報とを含む『ユーザ認証ジョブ』を生成して、ジョブ管理部２１２Ａを介して、ユーザ認証部２１３にユーザ認証処理を実行させる。
【００８１】
ユーザ認証部２１３は図１３に示す“ユーザ認証処理”を実行して（ステップＳ１０２）、その認証結果を判定する（ステップＳ４０２）。ここで、認証が失敗した場合（ステップＳ４０２，認証ＮＧ）、ステップＳ４０１に戻る。
【００８２】
一方、認証が成功した場合（ステップＳ４０２，認証ＯＫ）、ジョブ認識部２１１Ａは、「ユーザＩＤ」と「パスワード」と「配信拒否指示」とから『配信先アドレス除去ジョブ』を生成し（ステップＳ４０３）、ジョブ管理部２１２Ａに出力する。
次に、『配信先アドレス除去ジョブ』を取得したジョブ管理部２１２Ａは、配信先削除部２１７に処理させる。
配信先削除部２１７は、ユーザ管理ＤＢを介して「ユーザＩＤ」と係る「配信先識別情報」を取得する（ステップＳ４０４）。配信先削除部２１７は、配信先ＤＢ２３６を介して「配信先識別情報」を含む「配信先グループ識別情報」を検索する（ステップＳ４０５）。配信先削除部２１７は「配信先グループ識別情報」に含まれる「配信先識別情報」を削除する（ステップＳ４０６）。
以上で、画像配信機能部５５Ａは、配信先削除処理を終了する。
【００８３】
本発明は、前記した実施形態に限定されることなく、本発明の要旨を逸脱しない範囲で種々の変更や変形を行うことができる。
【００８４】
例えば、条件判定対象情報は、一般ユーザが所属する組織を示す「ユーザ所属情報」としたが、これは、本実施形態に置いて、配信条件記憶部２３１には、配信条件として「ユーザ所属情報」が記憶されていたためである。この配信条件は任意であり、アカウント記憶部２３３に記憶された「ユーザＩＤ」や「役職」、「勤務年数」、入力付属情報である「投入ジョブ種別」であってもよい。「ユーザＩＤ」とした場合には、“13:00〜14:00”は、ユーザＩＤの番号が“100001〜100100”といった配信条件であってもよい。
【００８５】
また、画像配信機能部５５Ａの配信先削除処理動作（図１６）を、例えば、ユーザが、ネットワークＮ１を介して、一般用情報処理装置３２から複合機２Ａにアクセスして実行する場合は、ユーザが、一旦複合機２Ａにログインしてから、画像配信機能部５５Ａの配信先削除処理動作を実行する構成であってもよい。当該構成を備えることで、配信先ＤＢ２３６から、自身の「配信先識別情報」を削除して配信先削除処理を終了した後、再度、他のユーザが一般用情報処理装置３２を用いて画像配信機能部５５Ａに配信先削除処理動作を実行させることができる。そのため、いちいち複合機２Ａとのアクセスを切断して、再度、ログインする必要がないため、利便性が高い。
【符号の説明】
【００８６】
１      画像配信システム
２，２Ａ  複合機（画像配信装置）
３      情報処理装置
４      受信装置
４ａ    ファクシミリ装置
４ｂ    コンピュータ
２１    制御部
２２    入力部
２３    記憶部
２４    操作入力部
２５    画面表示部
２６    通信部
２７    タイマ部
３１    管理用情報処理装置
３２（３２ａ，３２ｂ，３２ｃ）  一般用情報処理装置
５０    機能制御部
５１    印刷機能部
５２    ＦＡＸ機能部
５３    スキャナ機能部
５４    電子メール機能部
５５，５５Ａ  画像配信機能部
２１０  ジョブ処理部
２１１，２１１Ａ  ジョブ認識部
２１２，２１２Ａ  ジョブ管理部
２１３  ユーザ認証部
２１４  配信管理部
２１５  配信要求部
２１６  ジョブ削除部
２１７  配信先削除部
２２０  入力データ取得部
２３０  通信制御部
２３１  配信条件記憶部
２３２  ジョブ記憶部
２３３  アカウント記憶部
２３４  アドレス記憶部
２３５  ユーザ管理ＤＢ
２３６  配信先ＤＢ
２４０  画面データ生成部
Ｎ１，Ｎ２  ネットワーク
【図１】
2012231310.tif 000003
【図２】
2012231310.tif 000004
【図３】
2012231310.tif 000005
【図４】
2012231310.tif 000006
【図５】
2012231310.tif 000007
【図６】
2012231310.tif 000008
【図７】
2012231310.tif 000009
【図８】
2012231310.tif 000010
【図９】
2012231310.tif 000011
【図１０】
2012231310.tif 000012
【図１１】
2012231310.tif 000013
【図１２】
2012231310.tif 000014
【図１３】
2012231310.tif 000015
【図１４】
2012231310.tif 000016
【図１５】
2012231310.tif 000017
【図１６】
2012231310.tif 000018